(57)【要約】  【目的】  フィルタを有効に利用し、設置場所等の自由度を大きく、かつ交換作業を容易にすると共に、低コスト化を可能にする。  【構成】  円形に形成した帯状のアルミ板の円周両辺をスピニング加工等で内側に屈成して、凹溝２ａを形成することで取付け枠２を製作する。取付け枠２を水平位置で２分割し、さらにその上半分を第１の４分割枠２３と第２の４分割枠２４とに分割し、これらをこの取付け枠の下半分の両円周端に開閉自在に連結する。したがって第１の４分割枠２３と第２の４分割枠２４とを左右に開閉するだけで、取付け枠２の凹溝２ａを送風機１０の円形フランジ１１に容易に装着できると共に、この取付け枠の凹溝２ａ内に、フィルタ３を容易かつ迅速に着脱できる。【選択図】  図１
2006083836.tif 000002
【特許請求の範囲】
【請求項１】
送風機の流入口に形成した軸心に直角な円形フランジに装着され、
円形リングからなる取付け枠とフィルタとを備え、
上記フィルタは、円形リングからなる外枠と円板状のフィルタ素材とを有し、
上記取付け枠および外枠の円形リングの断面は、それぞれ内側に向かって開口する凹溝の形状に形成され、
上記フィルタ素材は、上記外枠の凹溝内に挿着され、
上記取付け枠は、１８０度づつ２分割された開き側２分割枠と固定側２分割枠とを有し、
上記開き側２分割枠の１の円周端は、これに対向する上記固定側２分割枠の円周端に、円周方向に回転自在に連結され、
上記取付け枠の凹溝内には、上記円形フランジとフィルタとが挿着可能である
ことを特徴とする送風機用フィルタ構造。
【請求項２】
請求１において、上記開き側２分割枠は、さらに９０度づつ２分割された第１の４分割枠と第２の４分割枠とを有し、
上記第１の４分割枠と第２の４分割枠とのそれぞれの１の円周端は、これらに対向する上記固定側２分割枠の円周端に、円周方向に回転自在に連結されている
ことを特徴とする送風機用フィルタ構造。
【請求項３】
請求項２または３のいずれかにおいて、上記外枠の凹溝にはドレン用の穴が開口し、
上記外枠の外周にあって互いに１８０度隔てた位置には、それぞれ係止部が設けてあり、
上記固定側２分割枠の両円周端には、それぞれ上記係止部の受部が設けてあり、
上記フィルタを上記固定側２分割枠に挿着して、上記係止部がそれぞれ上記受部に当接した場合には、上記ドレン用の穴が最下位置に位置する
ことを特徴とする送風機用フィルタ構造。
【請求項４】
請求項１乃至３のいずれかの１において、上記取付け枠の凹溝とフィルタの外周面との間には、クッション部材を備えていることを特徴とする送風機用フィルタ構造。
【請求項５】
請求項１乃至４のいずれかの１において、上記取付け枠および外枠の円形リングは、それぞれ円形に形成した帯状の金属板の両端部を接合して、上記凹溝をこの帯状の金属板の円周両サイドを内側に向かって屈成したものからなることを特徴とする送風機用フィルタ構造。
【発明の詳細な説明】
【技術分野】
【０００１】
本発明は、送風機に使用するフィルタ構造に関する。
【背景技術】
【０００２】
工場や倉庫等においては、例えば加工品や機械等の高温部の冷却、あるいは工場内の換気等のために、多くの送風機が使用されている。ところで機械工場等においては、空気中に油分や塵埃が混じっている場合も多い。このためこれらの油分や塵埃が送風機の内部に付着することを防ぐとともに、送風機が排出する空気を浄化するために、送風機の入り口部分には、金属の細いワイヤ等で構成したフィルタが取り付けられている。
【０００３】
図８及び図９に示すように、従来から用いられている送風機１１０用のフィルタ構造１０１は、角型のフィルタ１０３と、このフィルタを挿着する角型の取付け枠１０２とから構成されている。取付け枠１０２の上辺１２５と、下辺１２６は、それぞれ内側に向かって開口するコの字形状の断面１０２ａに形成してあり、前面１２７と後面１２８とには、中央に円形の穴が開口している。そして後面１２８の開口穴の内周は、送風機１１０のベルマウスの先端に形成した軸心に直角なフランジ１１１の外周に溶接してある。
【０００４】
取付け枠１０２の左右端は、上辺及び左右辺をそれぞれ直角に屈成した壁面で囲ったカバー１２９，１２９が装着してある。そしてカバー１２９，１２９は、取付け枠１０２の下辺１２６の左右端に、それぞれヒンジ１０４，１０４によって回転自在に取り付けられている。一方フィルタ１０３は、断面を凹溝１３１aの形状に形成した外枠１３１と、この凹溝に装着した角型のフィルタ素材１３２とで構成してある。したがって図９に示すように、左右のカバー１２９，１２９のいずれかを、ヒンジ１０４，１０４を支点として開けば、角型のフィルタ１０３を、取付け枠１０２の上辺１２５と下辺１２６とに形成したコの字形状の断面１０２ａ内に、水平方向に挿入できるため、このフィルタを容易に着脱することができる。
【０００５】
なお、フィルタ１０３の外枠１３１の凹溝１３１aと、取付け枠１０２の下辺１２６のコの字形状の断面１０２ａには、それぞれ６時位置にドレン用の穴１３１ｂ，１２６ａが設けてあり、フィルタ素材１３２が濾し取った油を、外部に排出できるようにしてある。
【０００６】
しかし従来の角型の送風機用フィルタ構造１０１は、上述したように左右のカバー１２９，１２９のいずれかを、ヒンジ１０４，１０４を支点として左右に開いて、フィルタ１０３を着脱するため、送風機１１０の左右のいずれかには、このカバーを真横以上に開けるスペースが必要となる。したがって設置スペースに余裕のない場合には、送風機１１０の配置場所や、配置姿勢が大幅に制限され、またフィルタ１０３を清掃等するときの着脱作業が困難になる。このためフィルタ１０３の着脱に必要なスペースを、できるだけ少なくすることが望まれる。
【０００７】
また従来の角型の送風機用フィルタ構造１０１の取付け枠１０２は、上辺１２５および下辺１２６をコの字形状の断面１０２ａに形成する行程、前面１２７および後面１２８の中央に円形の穴を形成する行程、および凹溝の断面形状に形成したカバー１２９，１２９を製作する行程等、複数の部品や製造工程が必要となる。したがって製造コストの低減等のために、取付け枠の部品や製造工程を簡単にすることが望まれる。
【０００８】
さらに加えて、角型の送風機用フィルタ構造１０１は、フィルタ１０３も角型を使用しているため、送風機１１０の円形断面を有する流入口に取り付けた場合には、図９に示すＡ部分のように、円形の流入口と、このフィルタのそれぞれの角部との間がデッドスペースとなって、油分や塵埃の除去には使われない無駄な部分となってしまう。このため、フィルタを円形にして、この無駄な部分をなくし、重量やコストの低減を図ることが考えられる。
【０００９】
ところでフィルタを円形にする手段として、すでに家庭用のプロペラ式換気扇について、円形フィルタを使用することによって、フィルタ材料を節約するという提案がなされている（例えば、特許文献１参照。）。この特許文献１においては、換気扇のプロペラの排気方向と逆方向の前面への吹き返しを防止するために、プロペラとほぼ同じ外径のフードを設けることにより、吹き返しを防止できるとしている。そしてこのフードにはめ込む形で円形フィルタを採用し、角型のフィルタに比べてフィルタ材料の無駄を大幅に省くことができるとしている。具体的には、図１０および図１１に示すように、本体カバーＡに設けたフードの開口部Ｂ−２に、アーチ状の凹こみ部Ｂ−３を一体形成し、このアーチ状の凹こみ部にフィルタＣの外周部分Ｃ−２を、後方から装着する構成になっている。
【特許文献１】特開２００３−２６９７６１号（１、２頁  図２、図３）
【発明の開示】
【発明が解決しようとする課題】
【００１０】
しかしながら送風機の円形断面を有する流入口に、特許文献１で開示された円形のフィルタの構成を適用する場合には、次のような解決すべき問題点があった。すなわちこの円形のフィルタＣを装着するアーチ状の凹こみ部Ｂ−３は、上述したようにフードの開口部Ｂ−２に一体形成してある。通常このようなアーチ状の凹こみ部Ｂ−３の一体形成は、プラスチック材の一体成形や、金属板のプレス加工によって行われるが、このためには、いずれも高価で特殊技術を有する金型やプレス装置等が必要となる。また工場等で使用する送風機は、家庭用の換気扇に比較して、風量や風速が大きく、そのサイズも大きくなる。したがって金型やプレス装置等のサイズも大きくなり、その分さらに高価になる。
【００１１】
また円形のフィルタＣは、フードの開口部Ｂ−２に一体形成したアーチ状の凹こみ部Ｂ−３に、後方から装着されるため、このフィルタＣを交換する際には、このフードを構成する本体カバーＡとプロペラＱとを一旦分離して、再度組み直す必要がある。したがってこのようなフィルタの取り付け構造を採用した場合には、フィルタの交換作業に手間が掛かってしまう。
【００１２】
さらにフィルタ素材は、一般的に細い繊維や金網からなるために、外周を円形の枠等で縁取りする必要がある。したがってフィルタで濾し捕った空気中の油分は、この円形の枠等の下部に溜まるので、この溜まった油分が吐出空気に再混入しないように、この円形の枠等の下部にドレン孔等を設けて、外部に排出する必要がある。しかるに円形のフィルタＣは、アーチ状の凹こみ部Ｂ−３に、どのような回転角度でも、後方から装着することができるため、装着時にドレン孔等の位置が、最下点からずれてしまうことも生じ、この場合には、円形の枠等の下部に溜まった油分が、ドレン孔等から排出されずに、この枠等から溢れて排気に再混入する恐れがある。
【００１３】
また上述したように、工場等で使用する送風機は、家庭用の換気扇に比較して風量や風速が大きいため、フィルタが振動して、フィルタ自体が損傷したり、このフィルタの取り付け部分との間に磨耗等が生じる恐れがある。したがって、このような損傷や磨耗等の発生を防止する必要がある。
【００１４】
そこで本発明の目的は、上述した課題を解決すべく、フィルタが有効利用でき、交換作業が容易で、かつ安価な送風機用フィルタ構造を提供することにある。
【課題を解決するための手段】
【００１５】
本発明による送風機用フィルタ構造の特徴は、送風機の流入口に形成した軸心に直角な円形フランジに装着され、円形リングからなる取付け枠と、フィルタとを備えていることにある。上記フィルタは、円形リングからなる外枠と、円板状のフィルタ素材とを有し、上記取付け枠および外枠の円形リングの断面は、それぞれ内側に向かって開口する凹溝の形状に形成されている。一方上記フィルタ素材は、上記外枠の凹溝内に挿着される。また上記取付け枠は、１８０度づつ２分割された開き側２分割枠と、固定側２分割枠とを有し、この開き側２分割枠の１の円周端は、これに対向するこの固定側２分割枠の円周端に、円周方向に回転自在に連結される。そして上記取付け枠の凹溝内には、上記円形フランジとフィルタとが挿着可能になっている。
【００１６】
上記開き側２分割枠は、さらに９０度づつ２分割された第１の４分割枠と、第２の４分割枠とを有し、この第１の４分割枠と、第２の４分割枠とのそれぞれの１の円周端は、これらに対向する上記固定側２分割枠の円周端に、円周方向に回転自在に連結されているように構成することもできる。
【００１７】
また上記外枠の凹溝にはドレン用の穴が開口し、この外枠の外周にあって互いに１８０度隔てた位置には、それぞれ係止部が設けてあり、上記固定側２分割枠の両円周端には、それぞれ上記係止部の受部が設けてあり、上記フィルタをこの固定側２分割枠に挿着して、この係止部がそれぞれこの受部に当接した場合には、上記ドレン用の穴が最下位置に位置することが望ましい。
【００１８】
さらに上記取付け枠の凹溝とフィルタの外周面との間には、クッション部材を備えていることがより望ましい。また上記取付け枠および外枠の円形リングは、それぞれ円形に形成した帯状の金属板の両端部を接合して、上記凹溝をこの帯状の金属板の円周両サイドを内側に向かって屈成したものからなることが望ましい。
【００１９】
ここで、「流入口」とは前方向に空気通路の径が広がっているベルマウスに限らず、円筒形状のものも含む。「円形リング」とは、取付け枠と外枠とについて、それぞれ前方から見た形状が、中空の円形状のリングであることを意味している。「フィルタ素材」とは、空気中の油分や塵埃等を濾し捕る素材を意味し、細い金属等のワイヤを集積したものに限らず、幅が狭いスリットからなるデミスタ等その他の素材も含まれる。
【００２０】
「屈成」とは、円形リングに形成した帯状の金属板の円周両サイドを内側に向かって折り曲げ、内側に向かって開口する凹溝を形成する作業を意味し、いわゆるスピニング加工に限らず、板金加工等も含む。また「クッション部材」とは、弾性を有する部材を意味し、ゴム、プラスチック、あるいは金属製の金網やスプリング等を含む。
【００２１】
次に本発明による送風機用フィルタ構造について、送風機への取り付け、およびフィルタの着脱の特徴を説明する。すなわち円形リングからなる取付け枠の断面は、凹溝の形状に形成してあり、この凹溝内には、送風機の流入口の円形フランジと、円形のフィルタとが挿着可能である。そして取付け枠は、固定側２分割枠と、開閉自在の開き側２分割枠とに２分割されている。したがって開き側２分割枠を開いた状態にすれば、固定側２分割枠の凹溝を、送風機の円形フランジに挿入することによって、容易に取付け枠をこの送風機の円形フランジに装着することができる。そして送風機の円形フランジに装着した固定側２分割枠を、例えば溶接等によって、この円形フランジに固定する。
【００２２】
固定側２分割枠を送風機の円形フランジに固定しても、取付け枠の開き側２分割枠は、ヒンジを回転支点として自由に開閉できる。したがって開き側２分割枠を開けば、固定側２分割枠の凹溝内にフィルタを容易に挿入することができる。そして固定側２分割枠の凹溝内にフィルタを挿入した状態で、開き側２分割枠を閉じると、この開き側２分割枠の凹溝が、フィルタと送風機の円形フランジの残りの半周部分に嵌合する。したがって、開き側２分割枠を閉じると、フィルタと送風機の円形フランジとの全周が、取付け枠の凹溝内の全周に嵌合する状態となって、フィルタと取付け枠とが、半径方向および軸方向について、送風機の円形フランジに確実に固定される。
【発明の効果】
【００２３】
送風機の円形断面を有する流入口に装着するフィルタ素材を、円板状に形成することによって、上述した従来の角型フィルタのように、油分・塵埃除去には使われない無駄な部分をなくすことができる。またフィルタ素材を挿着する外枠と、フィルタを挿着する取付け枠とを、いずれも内側に向かって開口する凹溝を有する円形リングの形状とすることによって、高価で特殊技術を有する金型やプレス装置等を要せず、容易かつ低コストで製造可能となる。またこれらの取付け枠と外枠とは、単一部品から構成されるため、部品数や製造工程を大幅に削減できる。
【００２４】
取付け枠を、１８０度づつ２分割された開き側２分割枠と、固定側２分割枠とから構成することによって、この固定側２分割枠にフィルタを容易に挿着することができる。すなわちフィルタを交換する場合には、開き側２分割枠を開き、フィルタを、例えば上下方向に引き出したり挿入したりして、容易かつ迅速に交換することができる。
【００２５】
なおこのフィルタ交換では、フィルタを固定側２分割枠からわずかに引き出すと、このフィルタの外周が、この固定側２分割枠の凹溝の内周縁から外れるので、このフィルタを前方向に移動することが可能となる。したがって、従来の角型フィルタを交換するときには、この角型フィルタの一辺の長さ以上の引き出しスペースを、送風機の横方向に確保する必要があるが、本発明によるフィルタ構造では、開き側２分割枠を１８０度まで開く必要はなく、せいぜい９０度程度開けば足りる。このため送風機の横方向に、わずかなフィルタの抜き出しスペースを確保すれば足りる。したがって送風機を配置する場合、配置箇所や配置姿勢等の自由度が増すとともに、フィルタ交換の時間の削減が可能となる。
【００２６】
さらに取付け枠の開き側２分割枠を２分割し、それぞれ両側に開くようにすることによって、この開き側２分割枠を開くために必要となる回転スペースを、半減することが可能となる。すなわち開き側２分割枠を、一端を回転支点として開くためには、少なくとも取付け枠の直径分の回転スペースが必要になるが、開き側２分割枠をさらに２分割して４分割枠にすれば、取付け枠の直径の半分の回転スペースで足りることになる。したがって送風機を配置する場合の配置箇所や配置姿勢等の自由度をさらに増すことができる。
【００２７】
また外枠の凹溝にドレン用の穴を形成し、この外枠の外周面であって１８０度隔てた位置に、それぞれ係止部を設け、一方取付け枠の固定側２分割枠の両円周端に、それぞれこの係止部の受部を設け、さらにこの外枠を固定側２分割枠に挿着して、この係止部がそれぞれこの受部に当接した場合には、このドレン用の穴が最下位置に位置するように構成することによって、円形のフィルタ交換に際しては、取り付け回転角度について作業員が特に意識しないでも、ドレン用の穴が常に最下位置に位置する。したがってフィルタ交換に際し、ドレン用の穴がずれることを確実に防止できると共に、フィルタの位置決めのための手間が不要となって、交換作業を容易かつ短くすることが可能となる。
【００２８】
フィルタの外周面と取付け枠の凹溝との間に、クッション部材を設けることにより、フィルタと取付け枠との相対的な動きを抑制できるため、送風機の運転時の振動による騒音の発生や、外枠と取付け枠との接触箇所の損耗等を防止できる。またクッション部材を設けることにより、外枠と取付け枠の凹溝との間に、間隙が生じるため、取付け枠の最下部分にドレン用の穴を設ければ、外枠のドレン用の穴から流出した油を、この間隙を介して、この取付け枠のドレン用の穴等に容易に導くことができるようになる。
【００２９】
また取付け枠および外枠の凹溝は、両端部を接合して円形リングに形成した帯状の金属板の円周両サイドを、内側に向かって屈成して形成する。この凹溝の屈成は、特殊な装置や工具を必要としない例えばスピニング加工によって、容易かつ短時間で行えるため、フィルタ構造の製造コストを低減することが可能となる。
【００３０】
また取付け枠を断面が凹溝の形状をした円形リングに形成し、かつ開閉自在に分割することによって、フィルタの交換を容易にしつつ、送風機の円形フランジに、この取付け枠を容易かつ堅固に装着することができる。
【発明を実施するための最良の形態】
【００３１】
図１〜図６を参照しつつ、本発明による送風機用フィルタ構造の構成を説明する。図１に示すように、本発明による送風機用フィルタ構造１は、円形リングからなる取付け枠２と、２列に配列したフィルタ３，３とから構成される。図３に示すようにフィルタ３は、円形リングからなる外枠３１と、それぞれ円板状のフィルタ素材３２と、このフィルタ素材の前後面を押さえる押さえ金網３３，３３とから構成される。外枠３１には、内側に向かって開口する凹溝３１ａが形成され、この凹溝内に、円板状のフィルタ素材３２および押さえ金網３３，３３の外周部を挿着して、フィルタ３を構成している。また図２に示すように、取付け枠２にも、外枠３１と同様に、内側に向かって開口する凹溝２ａが形成され、この凹溝内にフィルタ３が２列挿着してある。
【００３２】
なおフィルタ３を２列に配列するのは、前側のフィルタのメッシュを粗くしておいて、主に塵等を濾し取り、後ろ側のフィルタのメッシュを細かくして、主に細かい油分等を濾し取るようにするためである。このように予め塵等を取り除くことによって、油分等をより効率的に除去することができる。なお、例えば塵等が少ない場合には、フィルタ３を一列にすることもできる。
【００３３】
外枠３１と取付け枠２とは、いずれも、まず帯状のアルミ板材を円形に曲げて、その両端部を溶接接合して円形リングに形成する。そして図７に示すように、この円形リングを回転治具Ｔに取り付け、その円周両サイドにヘラ状のスピニング治具Ｓを当てつつ内側に曲げて、凹溝３１ａおよび凹溝２ａを屈成する。したがって外枠３１と取付け枠２との素材は、いずれも帯状のアルミ板材だけであり、また円形リングを取り付ける回転治具Ｔと、ヘラ状のスピニング治具Ｓだけで、凹溝３１ａと凹溝２ａとを形成することができる。
【００３４】
またフィルタ素材３２は、ステンレス製の細線を円板状に固めたものからなり、押さえ金網３３は、ステンレス製の細線を格子状に組み合わせて、その外周を円形に縁取りして形成する。なおフィルタ素材３２と押さえ金網３３とは、上述したように円形リングの円周両サイドの一方を内側に曲げた後に、この円形リングの内周に挿入し、その後で他方の円周サイドを内側に曲げて挿着する。あるいは凹溝３１ａを形成した後で、円形リングを２分割し、フィルタ素材３２と押さえ金網３３，３３とを挿入後に、この分割部分を溶接等で再連結してもよい。
【００３５】
さて図２に示すように、取付け枠２は、円形リングを水平に２分割してあり、下半分の半円リング状の固定側２分割枠２１と、上半分の半円リング状の開き側２分割枠２２とから構成される。そして開き側２分割枠２２は、さらに中央で９０度づつ左右に分割した、第１の４分割枠２３と、第２の４分割枠２４とからなる。そして第１の４分割枠２３の左側円周端２３ａと、第２の４分割枠２４の右側円周端２４ａとは、それぞれ対向する固定側２分割枠２１の左右円周端２１ａ，２１ｂとに、ヒンジ４，４によって、それぞれ左右に回転自在に連結してある。なお第１の４分割枠２３と、第２の４分割枠２４との、合わせ面には、両者を係止するためのフック１２が設けてある。
【００３６】
したがってフック１２を外して、第１の４分割枠２３と、第２の４分割枠２４とを、それぞれ左右に開くだけで、フィルタ３を固定側２分割枠２１の凹溝２ａ内に、容易かつ迅速に挿着することができる。また逆にフィルタ３を固定側２分割枠２１から取り外す場合には、第１の４分割枠２３と、第２の４分割枠２４とをそれぞれ左右に開き、このフィルタを少し上方に引き出せば、この固定側２分割枠の凹溝から外れるため、このフィルタを前方向に容易に取り外すことができる。
【００３７】
また図３に示すように、外枠３１の凹溝３１ａの６時位置には、フィルタ素材３２で補足した油分を流出させるドレン用の穴３１ｂが開口している。そして図４および図５に例示すように、外枠３１の外周面上の３時及び９時位置には、それぞれ水平方向に突出するフランジ状の係止部３１ｃ，３１ｃが設けてある。一方図２と図５とに示すように、固定側２分割枠２１の左右円周端２１ａ，２１ｂと、第１の４分割枠２３の左側円周端２３ａと、第２の４分割枠２４の右側円周端２４ａとの合わせ面は、それぞれフランジ形状の係止部３１ｃ，３１ｃを挟み込むことができる間隙２ｂが設けてあり、この間隙がこの係止部の受部になっている。また図３に示すように、固定側２分割枠２１の６時位置には、ドレン用の穴２１ｃが開口しており、排出管１３に連通している。
【００３８】
したがって円形のフィルタ３を、取付け枠２の固定側２分割枠２１の凹溝２ａ内に挿着すると、外枠３１の外周面に設けた左右の係止部３１ｃ，３１ｃが、それぞれこの固定側２分割枠の左右円周端２１ａ，２１ｂに当接し、この外枠の凹溝３１ａに開口するドレン用の穴３１ｂが、自ずから最下点に位置する。そして外枠３１に設けたドレン用の穴３１ｂは、固定側２分割枠２１に開口するドレン用の穴２１ｃと、６時位置で一致する。したがって、円形のフィルタ３を固定側２分割枠２１に挿着する際に、このフィルタの回転位置を気にしなくても、確実にこの外枠に設けたドレン用の穴３１ｂを、固定側２分割枠２１の最下点に開口するドレン用の穴２１ｃと６時位置で一致させることができる。
【００３９】
また図６に示すように、外枠３１の外周面には、クッション部材５が４個、それぞれ９０度間隔で設けてある。したがってクッション部材５によって、フィルタ３が取付け枠２の中でがたつくことを防止し、騒音の発生を防ぐとともに、これらの損耗を防止できる。なおクッション部材５としては、金属、ゴムあるいはプラスチック等の弾性材料を使用することができる。
【００４０】
図１に示すように、送風機用フィルタ構造１は、送風機１０の流入口を形成するベルマウスに装着される。すなわちベルマウスの先端部には、軸心に直角な円形フランジ１１が形成してある。一方取付け枠２の凹溝２ａの幅は、外枠３１の幅と、円形フランジ１１の幅とを加えた幅に形成してある。したがって取付け枠２の上半分を構成する第１の４分割枠２３と、第２の４分割枠２４とをそれぞれ左右に開けば、この取付け枠の下半分を構成する固定側２分割枠２１の凹溝２ａを、送風機１０の円形フランジ１１の下半分に容易に挿入することができる。なお固定側２分割枠２１は、図３に示すように、ベルマウスに装着後、このベルマウスとの接触部分１１ａで溶接止めする。
【００４１】
このように固定側２分割枠２１を、送風機１０のベルマウスの円形フランジ１１に装着することによって、フィルタ３を容易に着脱することができる。すなわち取付け枠２の上半分を構成する第１の４分割枠２３と、第２の４分割枠２４とをそれぞれ左右に開けば、フィルタの下半分を、固定側２分割枠２１の凹溝２ａ内に容易に挿入することができる。そして第１の４分割枠２３と、第２の４分割枠２４とをそれぞれ閉じれば、取付け枠２の上半分の凹溝２ａ内に、外枠３１とベルマウスの円形フランジ１１との上半分が嵌合するため、この取付け枠とフィルタ３の全周を、このベルマウスの円形フランジの全周に堅固に固定することができる。
【００４２】
なお取付け枠２の上半分を構成する開き側２分割枠２２を、第１の４分割枠２３と第２の４分割枠２４とに分割しないで、固定側２分割枠２１の一方の円周端に、ヒンジ等によって、開閉自在に連結するよう構成することもできる。
【００４３】
また取付け枠２および外枠３１は、アルミ板材に限らず、鉄板あるいはステンレス板を使用してもよい。また押さえ金網３３は、ステンレス製の細線に限らず、鉄線の金網あるいは格子状に成型したプラスチック材であってもよい。係止部３１ｃは、フランジ形状に限らず、円柱等の他の形状でもよく、さらに外枠３１の外周面に設ける場合に限らず、この外枠の前または後面に設けるように構成にすることも容易にできる。またクッション部材５は、４個に限らず、３個あるいは５個以上であってもよく、取付け枠２の凹溝２ａの内周面に設けることもできる。
【産業上の利用可能性】
【００４４】
本発明による送風機用フィルタ構造は、フィルタが有効利用でき、交換作業が迅速容易で、騒音の発生も少なくできると共に安価に製造できるため、送風機および送風機用フィルタに関する多くの産業に広く利用できる。
【図面の簡単な説明】
【００４５】
【図１】送風機用フィルタ構造の横断面図である。
【図２】送風機用フィルタの正面図である。
【図３】送風機用フィルタの底部拡大横断面図である。
【図４】取付け枠の回転支点部分の拡大図である。
【図５】フィルタの係止部と受部との拡大図である。
【図６】送風機用フィルタの正面断面図である。
【図７】取付け枠および外枠の凹溝の形成方法を示す説明図である。
【図８】従来の角型のフィルタの横断面図である。
【図９】従来の角型のフィルタの正面図である。
【図１０】従来の円形のフィルタ構造の横断面図である。
【図１１】従来の円形のフィルタの正面図である。
【符号の説明】
【００４６】
１，１０１        送風機用フィルタ構造
２，１０２        取付け枠
２ａ              凹溝
２ｂ              間隙（受部）
２１              固定側２分割枠
２２              開き側２分割枠
２３              第１の４分割枠
２４              第２の４分割枠
３，１０３        フィルタ
３１              外枠
３１ａ            凹溝
３１ｂ            ドレン用の穴
３１ｃ            係止部
３２              フィルタ素材
３３              押さえ金網
４                ヒンジ
５                クッション部材
１０，１１０        送風機
１１，１１１        円形フランジ
【図１】
2006083836.tif 000003
【図２】
2006083836.tif 000004
【図３】
2006083836.tif 000005
【図４】
2006083836.tif 000006
【図５】
2006083836.tif 000007
【図６】
2006083836.tif 000008
【図７】
2006083836.tif 000009
【図８】
2006083836.tif 000010
【図９】
2006083836.tif 000011
【図１０】
2006083836.tif 000012
【図１１】
2006083836.tif 000013